(57)【要約】 【課題】  手動で容易に操作できる操作容易な入浴装置を提供すること。【解決手段】  槽内の中央部に架台２８が設けられる平面視略長方形状の浴槽１と、該浴槽１の一方側長辺の外側に一方側長辺の外側を向けて配置されて利用されるとともに上方に担架が載置される平面視略長方形状の洗い台３４とを備え、該洗い台３４にはその長手方向の略中央部に介助者が出入りできる幅の当該洗い台３４の一方側長辺から他方側長辺を横断する空間部５が設けられており、介助者が前記空間部５内に入り込んで前記担架の移乗操作及び前記架台２８上へ移乗された前記担架上に臥す入浴者の介助作業が行えることを特徴とする操作容易な入浴装置【選択図】  図１
2006122709.tif 000002
【特許請求の範囲】
【請求項１】
槽内の中央部に架台（２８）が設けられる平面視略長方形状の浴槽（１）と、該浴槽（１）の一方側長辺の外側に一方側長辺の外側を向けて配置されて利用されるとともに上方に担架が載置される平面視略長方形状の洗い台（３４）とを備え、該洗い台（３４）にはその長手方向の略中央部に介助者が出入りできる幅の当該洗い台（３４）の一方側長辺から他方側長辺を横断する空間部（５）が設けられており、介助者が前記空間部（５）内に入り込んで前記担架の移乗操作及び前記架台（２８）上へ移乗された前記担架上に臥す入浴者の介助作業が行えることを特徴とする操作容易な入浴装置。  
【請求項２】
前記洗い台（３４）の他方側長辺の外側に一方側長辺の外側を向けて横着けされて利用されるとともに上方に前記担架が載置される平面視略長方形状の搬送車（２）を備え、該搬送車（２）にはその長手方向の略中央部に介助者が出入りできる幅の当該搬送車（２）の一方側長辺から他方側長辺を横断する空間部（５）が設けられていることを特徴とする請求項１記載の操作容易な入浴装置。
【請求項３】
前記浴槽（１）と前記洗い台（３４）との間に介助者が上がる据置き踏み台（３５）が設けられたことを特徴とする請求項１又は２記載の操作容易な入浴装置。
【発明の詳細な説明】
【技術分野】
【０００１】
本発明は、身体障害者や養護老人等の入浴に供される操作容易な入浴装置に関する。  
【背景技術】
【０００２】
従来技術の実公平５−２７９３５号公報には、下フレ−ム、ア−ム、上フレ−ム、移乗台、担架、担架送り装置、基枠、桟、桟付索体、モ−タ−等からなる「入浴装置の担架送り装置」が開示されている。
【特許文献１】実公平５−２７９３５号公報
【発明の開示】
【発明が解決しようとする課題】
【０００３】
前記従来装置は、担架を担架送り装置で浴槽上に自動的に送ることができる装置であるが、構造が複雑であり、電気回路の防水にも多大な配慮が必要である為、製作や保守に多くの困難が伴うものであった。
【０００４】
又、入浴中の入浴者の介護又は看視は、搬送車を除去移動させなければできず、搬送車の操作に多くの手数が掛かり、不都合であった。搬送車を除去移動せずそのままの位置で、介助者が、入浴中の入浴者の介護又は看視できる装置が要望されていた。更に、介助者は高い位置から容易に行き届いた入浴介助できる装置が要望されていた。
【０００５】
本発明はこれらの諸問題を解決すべくなされたものであって、その目的は、手動で容易に操作できる操作容易な入浴装置を提供することにある。
【課題を解決するための手段】
【０００６】
上記目的を実現する為、本発明は、槽内の中央部に架台（２８）が設けられる平面視略長方形状の浴槽（１）と、該浴槽（１）の一方側長辺の外側に一方側長辺の外側を向けて配置されて利用されるとともに上方に担架が載置される平面視略長方形状の洗い台（３４）とを備え、該洗い台（３４）にはその長手方向の略中央部に介助者が出入りできる幅の当該洗い台（３４）の一方側長辺から他方側長辺を横断する空間部（５）が設けられており、介助者が前記空間部（５）内に入り込んで前記担架の移乗操作及び前記架台（２８）上へ移乗された前記担架上に臥す入浴者の介助作業が行えることを特徴とする。
【０００７】
本発明は、前記洗い台（３４）の他方側長辺の外側に一方側長辺の外側を向けて横着けされて利用されるとともに上方に前記担架が載置される平面視略長方形状の搬送車（２）を備え、該搬送車（２）にはその長手方向の略中央部に介助者が出入りできる幅の当該搬送車（２）の一方側長辺から他方側長辺を横断する空間部（５）が設けられていることを特徴とする。
【０００８】
本発明は、前記浴槽（１）と前記洗い台（３４）との間に介助者が上がる据置き踏み台（３５）が設けられたことを特徴とする。
【発明の効果】
【０００９】
本発明は、槽内の中央部に架台が設けられる平面視略長方形状の浴槽と、該浴槽の一方側長辺の外側に一方側長辺の外側を向けて配置されて利用されるとともに上方に担架が載置される平面視略長方形状の洗い台とを備え、該洗い台にはその長手方向の略中央部に介助者が出入りできる幅の当該洗い台の一方側長辺から他方側長辺を横断する空間部が設けられているものであるから、洗い台に載置される担架を、洗い台と浴槽との間に移乗させる際には、介助者は空間部に入って担架を操作できる。介助者は担架の移乗を、前屈みの苦しい姿勢になることなく、楽な姿勢で容易に行なえる。
【００１０】
又、身長の低い介助者は、洗い台の側部から担架を浴槽へ移乗させることが甚だ困難であるといった不都合を解消して、容易に担架を移乗させることができ、好都合である。
【００１１】
又、入浴中の入浴者の介護又は看視が、洗い台を除去移動させずにそのままの位置で容易にでき、洗い台の操作に掛かる手数が減り、好都合である。
【００１２】
本発明は、洗い台の他方側長辺の外側に一方側長辺の外側を向けて横着けされて利用されるとともに上方に担架が載置される平面視略長方形状の搬送車を備え、該搬送車にはその長手方向の略中央部に介助者が出入りできる幅の当該搬送車の一方側長辺から他方側長辺を横断する空間部が設けられているから、介助者は搬送車の空間部に入り込むことで搬送車と洗い台との間の担架の移動を、前屈みの苦しい姿勢になることなく、楽な姿勢で容易に行なえる。
【００１３】
本発明は、浴槽と前記洗い台との間に介助者が上がる据置き踏み台が設けられるので、入浴介助の際に据置き踏み台に上がった位置から介助でき、介助が容易に好適に行なえ、好都合である。又、身長の低い介助者でも、据置き踏み台上から容易に入浴介助ができ、好都合である。
【００１４】
又、担架を、搬送車と洗い台と浴槽との間に移乗させる際に、介助者は踏み台に上って担架を１人で楽に操作でき、好都合である。
【発明を実施するための最良の形態】
【００１５】
図１に示す本発明の第１実施例は、浴槽１の一側方に洗い台３４が設けられ、更に、洗い台３４の一側方に搬送車２が横着けされる。浴槽１と洗い台３４の間に介助者が上がる据置き踏み台３５が設けられる。洗い台３４と搬送車２にレ−ル４６とキャッチ具４７が設けられ、不図示の担架は搬送車２と洗い台３４と浴槽１の間を往復移乗する。
【００１６】
搬送車２及び洗い台３４の略中央部には、空間部５が設けられる。空間部５は介助者が出入りできる空間である。図１中、５０は据置き踏み台３５の上方に設けられる接続レ−ルである。
【００１７】
担架は、入浴者を乗せるものであり、浴槽１と洗い台３４と搬送車２間を移乗する。搬送車２上の担架を洗い台３４の上に移動させ、洗い台３４から架台２８上へ移動させた後、浴槽１を上昇させ、担架上の入浴者を入浴させる。担架を浴槽１方向に移乗させる時、搬送車２及び洗い台３４の略中央部に設けられた空間部５に介助者が入り、操作容易に、担架を搬送車２から洗い台３４へ、続いて、洗い台３４から架台２８へ担架を移乗する。
【００１８】
浴槽１の側壁１８の略中央上部に設けられる操作部１９は、浴槽１が有する機能の作動を指示する。即ち、担架を浴槽１上に移乗させた後は、浴槽１を下降させ、入浴者を湯に浸け、そして、気泡浴装置（＝図示省略）を作動させ、退浴する時は浴槽１を上昇させるといった作動の指示をする。
【００１９】
浴槽１の側壁１８の略中央下部に突設せられる係止部２３は洗い台３４を係止する。該係止部２３は係止部踏み台２４を兼ねており、介助者が上がる踏み台の機能を有する。
【００２０】
浴槽１と洗い台３４の間に設けられる据置き踏み台３５に、担架を移乗させる際に介助者が上がり、担架の移乗を容易に行なう。
【００２１】
浴槽１の側壁１８の中央上部に、浴槽１が有する種々の機能を個々に作動させる操作部１９が設けられる。該操作部１９は、上昇スイッチ、下降スイッチ、気泡スイッチ等から構成される。浴槽１の背面には操作部１９と同じスイッチ群を擁する背面操作部４４が設けられ、浴槽１の正面には操作部１９と同じスイッチ群を擁する正面操作部４８が設けられる。
【００２２】
浴槽１内の中央の上部に担架を支持する架台２８が、浴槽１の底壁を水密に貫通する支柱（＝図示省略）に支持されて設けられる。
【００２３】
第１実施例を使用する時は、介助者は、入浴態勢にある入浴者を搬送車２上の担架に乗せる。浴槽１の係止部２３へ洗い台３４を連結係止し、搬送車２を洗い台３４に横着けする。
【００２４】
介助者は、搬送車２の外側へ回り、搬送車２の長手方向中央部に位置する。次に、搬送車２のキャッチ具４７を操作し搬送車２と担架の係止を外し、担架フレ−ムの長手方向中央部を掴んで、搬送車２の空間部５に入り込みながら、担架を洗い台３４上に押し遣る。次に、洗い台３４の空間部に入り架台２８上へ担架を押し遣る。
【００２５】
この時、介助者は搬送車２及び洗い台３４の空間部５の下方に位置する踏み台に上がり、前屈み姿勢になることなく楽な姿勢で担架移乗させることができる。介助者は、担架を架台２８上に完全に乗せた後、操作部１９の上昇スイッチを押し、浴槽１を上昇させ、浴槽１内の温湯に入浴者を浸ける。
【００２６】
次に、気泡スイッチを押し、気泡浴装置（図示省略）を作動させ、湯内に気泡を発生させ、入浴者に気泡浴を施す。
【００２７】
退浴時には、下降スイッチを押し、浴槽１を下降させる。浴槽１を下降させた後、担架を洗い台３４上へ移乗させた後、搬送車２上に移乗させる。担架が洗い台３４から離れ搬送車２に移乗し始めれば介助者は適宜踏み台から床に降りる。担架を搬送車２へ移乗し、担架を搬送車２へロックし、搬送車２を走行し入浴者を所定の場所へ移動し、入浴を終了する。
【産業上の利用可能性】
【００２８】
本発明は、身体障害者や養護老人等の入浴に供する入浴装置に適用できる。
【図面の簡単な説明】
【００２９】
【図１】本発明の第１実施例の平面図である。
【符号の説明】
【００３０】
１  浴槽  
２  搬送車      
５  空間部    
２８  架台    
３４  洗い台    
３５  据置き踏み台  
【図１】
2006122709.tif 000003